(57)【要約】【課題】ファクシミリ専用メモリの容量不足による回線切断などの発生を回避すると共にセキュリティの向上とメモリ使用の効率化を図る。【解決手段】ＣＰＵ100 は、夜間などファクシミリ受信以外の用途が発生しない場合に、複写編集用メモリであるＱＮＴ／ＰＭ108 を用いてファクシミリ制御装置109 で受信した受信画像データを蓄積／保存し、複写等のファクシミリ受信以外の動作を開始する際にＱＮＴ／ＰＭ108 に蓄積／保存した画像データをレーザプリンタ３で印刷出力し、印刷不可能であった場合、あるいは親展である画像データはファクシミリ制御装置109 のファイルメモリに蓄積／保存する。【選択図】図１
2006203922.tif 000002
【特許請求の範囲】
【請求項１】
ファクシミリ制御機能とこのファクシミリ制御機能以外の画像データ処理機能とを備えた画像処理装置において、
上記ファクシミリ制御機能で取り扱う画像データを記憶するための第１の記憶手段と、
上記画像データ処理機能で取り扱う画像データを記憶するための第２の記憶手段と、
上記画像処理装置が上記画像データ処理機能に用いられない場合に、上記第２の記憶手段にファクシミリ受信画像データを記憶させる制御を行う第１の制御手段と、
上記画像処理装置が上記画像データ処理機能の動作を開始する際、上記第２の記憶手段に記憶された画像データを上記第１の記憶手段に記憶すると共に上記第２の記憶手段からこの画像データを消去する第２の制御手段と、
を具備したことを特徴とする画像処理装置。
【請求項２】
ファクシミリ制御機能とこのファクシミリ制御機能以外の画像データ処理機能とを備えた画像処理装置において、
上記ファクシミリ制御機能で取り扱う画像データを記憶するための第１の記憶手段と、
上記画像データ処理機能で取り扱う画像データを記憶するための第２の記憶手段と、
この第２の記憶手段または上記第１の記憶手段に記憶された画像データを印刷出力する印刷手段と、
上記画像処理装置が上記画像データ処理機能に用いられない場合に、上記第２の記憶手段にファクシミリ受信画像データを記憶させる制御を行う第１の制御手段と、
上記画像処理装置が上記画像データ処理機能の動作を開始する際、上記第２の記憶手段に記憶されている画像データを上記印刷手段で印刷出力し、上記第２の記憶手段に記憶されている画像データを消去する第２の制御手段と、
を具備したことを特徴とする画像処理装置。
【請求項３】
ファクシミリ制御機能とこのファクシミリ制御機能以外の画像データ処理機能とを備えた画像処理装置において、
上記ファクシミリ制御機能で取り扱う画像データを記憶するための第１の記憶手段と、
上記画像データ処理機能で取り扱う画像データを記憶するための第２の記憶手段と、
この第２の記憶手段または上記第１の記憶手段に記憶された画像データを印刷出力する印刷手段と、
上記画像処理装置が上記画像データ処理機能に用いられない場合に、上記第２の記憶手段にファクシミリ受信画像データを記憶させる制御を行う第１の制御手段と、
上記画像処理装置が上記画像データ処理機能の動作を開始する際、上記第１の制御手段で上記第２の記憶手段に記憶された画像データを上記第１の記憶手段に記憶し、この第１の記憶手段に記憶できない上記第２の記憶手段に記憶されている画像データは上記印刷手段で印刷出力し、上記第２の記憶手段に記憶されている画像データを消去する第２の制御手段と、
を具備したことを特徴とする画像処理装置。
【請求項４】
ファクシミリ制御機能とこのファクシミリ制御機能以外の画像データ処理機能とを備えた画像処理装置において、
上記ファクシミリ制御機能で取り扱う画像データを記憶するための第１の記憶手段と、
上記画像データ処理機能で取り扱う画像データを記憶するための第２の記憶手段と、
この第２の記憶手段または上記第１の記憶手段に記憶された画像データを印刷出力する印刷手段と、
上記画像処理装置が上記画像データ処理機能に用いられない場合に、上記第２の記憶手段にファクシミリ受信画像データを記憶させる制御を行う第１の制御手段と、
上記画像処理装置が上記画像データ処理機能の動作を開始する際、上記第２の記憶手段に記憶されている画像データを上記印刷手段で印刷出力し、印刷不可能である場合または印刷してはいけない画像データの場合に上記第１の記憶手段に記憶し、上記第２の記憶手段に記憶されている画像データを消去する第２の制御手段と、
この第２の制御手段の制御が終了した際、上記画像処理装置のファクシミリ受信以外の動作が可能である旨の表示をする表示手段と、
を具備したことを特徴とする画像処理装置。
【請求項５】
ファクシミリ制御機能とこのファクシミリ制御機能以外の画像データ処理機能とを備えた画像処理装置において、
上記ファクシミリ制御機能で取り扱う画像データを記憶するための第１の記憶手段と、
上記画像データ処理機能で取り扱う画像データを記憶するための第２の記憶手段と、
この第２の記憶手段または上記第１の記憶手段に記憶された画像データを印刷出力する印刷手段と、
上記画像処理装置が上記画像データ処理機能に用いられない場合に、上記第２の記憶手段にファクシミリ受信画像データを記憶させる制御を行う第１の制御手段と、
上記画像処理装置が上記画像データ処理機能の動作を開始する際、上記第１の制御手段で上記第２の記憶手段に記憶された画像データを上記第１の記憶手段に記憶し、この第１の記憶手段に記憶できない上記第２の記憶手段に記憶されている画像データは上記印刷手段で印刷出力し、上記第２の記憶手段に記憶されている画像データを消去する第２の制御手段と、
この第２の制御手段の制御が終了した際、上記画像処理装置のファクシミリ受信以外の動作が可能である旨の表示をする表示手段と、
を具備したことを特徴とする画像処理装置。
【請求項６】
ファクシミリ制御機能とこのファクシミリ制御機能以外の画像データ処理機能とを備えた画像処理装置において、
上記ファクシミリ制御機能で取り扱う画像データを記憶するための第１の記憶手段と、
上記画像データ処理機能で取り扱う画像データを記憶するための第２の記憶手段と、
上記画像データ処理機能を動作する操作を行う操作手段と、上記ファクシミリ制御機能を使用する際には上記第１の記憶手段に画像データを格納するものの、上記操作手段からの操作が行われない時間帯では上記ファクシミリ制御機能を使用する際に画像データを上記第２の記憶手段へ格納する制御手段と、
を具備したことを特徴とする画像処理装置。
【請求項７】
ファクシミリ制御機能と複写機能とを有する画像処理装置において、
上記ファクシミリ制御機能で使用される第１の画像メモリと、
上記複写機能で使用される第２の画像メモリと、
上記画像処理装置が複写機能に用いられない場合に、上記第２の画像メモリを上記ファクシミリ制御機能で受信制御される画像データの記憶用に切り替える切替手段と、
を具備したことを特徴とする画像処理装置。
【請求項８】
ファクシミリ制御機能と複写機能とを有する画像処理装置において、
上記ファクシミリ制御機能で使用される第１の画像メモリと、
上記複写機能で使用される第２の画像メモリと、
上記画像処理装置が複写機能に用いられない場合に、上記第２の画像メモリを上記ファクシミリ制御機能で受信制御される画像データの記憶用に切り替える切替手段と、
上記画像処理装置が上記複写機能の動作を開始する際、上記切替手段で切り替えられて上記第２の画像メモリに記憶された上記ファクシミリ制御機能で受信制御された画像データを上記複写機能で印刷出力し、印刷不可能である場合または印刷してはいけない画像データの場合に上記第１の画像メモリに記憶し、上記第２の画像メモリに記憶されている画像データを消去して上記第２の画像メモリが上記複写機能で使用可能とする制御手段と、
を具備したことを特徴とする画像処理装置。
【請求項９】
ファクシミリ制御機能と複写機能とを有する画像処理装置において、
上記ファクシミリ制御機能で使用される第１の画像メモリと、
上記複写機能で使用される第２の画像メモリと、
上記画像処理装置が複写機能に用いられない場合に、上記第２の画像メモリを上記ファクシミリ制御機能で受信制御される画像データの記憶用に切り替える切替手段と、
上記画像処理装置が上記複写機能の動作を開始する際、上記切替手段で切り替えられて上記第２の画像メモリに記憶された上記ファクシミリ制御機能で受信制御された画像データを上記第１の画像メモリに記憶し、上記第２の画像メモリに記憶されている画像データを消去する制御手段と、
を具備したことを特徴とする画像処理装置。
【請求項１０】
ファクシミリ制御機能と複写機能とを有する画像処理装置において、
上記ファクシミリ制御機能で使用される第１の画像メモリと、
上記複写機能で使用される第２の画像メモリと、
上記画像処理装置が複写機能に用いられない場合に、上記第２の画像メモリを上記ファクシミリ制御機能で受信制御される画像データの記憶用に切り替える切替手段と、
上記画像処理装置が上記複写機能の動作を開始する際、上記切替手段で切り替えられて上記第２の画像メモリに記憶された上記ファクシミリ制御機能で受信制御された画像データを上記複写機能で印刷出力し、上記第２の画像メモリに記憶されている画像データを消去する制御手段と、
を具備したことを特徴とする画像処理装置。
【請求項１１】
ファクシミリ制御機能と複写機能とを有する画像処理装置において、
上記ファクシミリ制御機能で使用される第１の画像メモリと、
上記複写機能で使用される第２の画像メモリと、
上記画像処理装置が複写機能に用いられない場合に、上記第２の画像メモリを上記ファクシミリ制御機能で受信制御される画像データの記憶用に切り替える切替手段と、
上記画像処理装置が上記複写機能の動作を開始する際、上記切替手段で切り替えられて上記第２の画像メモリに記憶された上記ファクシミリ制御機能で受信制御された画像データを上記第１の画像メモリに記憶し、この第１の画像メモリの容量が満杯になって記憶できない場合は上記複写機能で印刷出力し、上記第２の画像メモリに記憶されている画像データを消去して上記第２の画像メモリが上記複写機能で使用可能とする制御手段と、
を具備したことを特徴とする画像処理装置。
【発明の詳細な説明】
【技術分野】
【０００１】
この発明は、少なくともファクシミリ機能を搭載し、ネットワークを介して画像情報或いはその他のデータを送受信できる画像通信装置、スキャナ等の画像入力装置、印刷装置、画像記憶装置、画像編集処理装置など複数の画像処理装置を一体化して構成されるディジタル式複合型画像処理装置などの画像処理装置に関する。
【背景技術】
【０００２】
近年、スキャナ等の画像入力装置、ハードディスクや光ディスクなどの画像記憶装置、ファクシミリやネットワークを用いた画像通信装置、印刷装置、画像編集処理装置など種々の画像処理装置が一体化して構成されるディジタル式複合型画像処理装置（マルチファンクション型複写装置ともいう）の開発が盛んである。
【０００３】
従来、これらの装置ではファクシミリの受信データを蓄積する際に、ファクシミリ専用の画像メモリを使用している。
【０００４】
通常は、受信した画像を順次印字出力するため、受信画像によりこれらのメモリに空き領域が無くなり、受信不可能となる場合は希である。
【０００５】
しかし、夜間のファクシミリ受信など、そのまま印字出力してしまうとセキュリティ上問題がある場合には、この間のファクシミリ受信データは印字せず蓄積保存する必要がある。蓄積保存した場合、この間のファクシミリ受信画像により受信画像蓄積用メモリが消費され、メモリ残量が無くなってしまって受信不可能となってしまうという状態が発生することがあった。
【０００６】
このような事態は、夜間などに受信データをメモリに蓄積する機能を有する従来のデジタル式複合型画像処理装置でも、さほど頻繁に発生する現象ではなかった。
【０００７】
これは、これまで取り扱っていた画像データの解像度が一般的に非常に悪いものであるため、１ページあたりの受信データを蓄積するために必要とされるメモリの量がさほど大きくならないことによるところが大きかった。
【０００８】
ところが、近年ファクシミリの高品質化が進み、解像度が非常に高くなる傾向にある。また、高画質化に伴い、写真画像などに類似中間調の画像処理を加えた後に送信する場合や、またカラー化も進みつつある。このため、ファクシミリの画像データサイズは非常に大きくなる傾向にあり、従来のようにファクシミリ専用メモリに夜間受信したデータなどを大量に保存することは困難となる傾向にある。
【０００９】
これらの問題を解決するための一つの手段として、ファクシミリ受信用のメモリサイズを大きくするか、または画像蓄積用に大容量の外部記憶装置を具備するという方法が考えられる。
【００１０】
しかし、それでは、夜間などの特殊な条件に対応するために、通常は余り必要とされないような大容量のメモリを具備するなど、装置全体でみればリソースの使用効率が低下し、また装置全体の価格も上昇するという欠点があった。
【発明の開示】
【発明が解決しようとする課題】
【００１１】
上記したように、ファクシミリの高品質化が進み、解像度が非常に高くなる傾向にあり、この高画質化に伴いファクシミリの画像データサイズが非常に大きくなって、従来のようにセキュリティ上問題がある場合にファクシミリ専用メモリに夜間受信したデータなどを大量に保存することは困難となる傾向にあり、メモリ容量不足で受信不可能となり最悪の場合は回線切断などが発生したり、このための大容量メモリを具備した場合にはコストアップとなると共に装置全体のメモリ使用の効率が悪くなるという問題があった。
【００１２】
そこで、この発明は、ファクシミリ専用メモリの容量不足による回線切断などの発生を回避すると共にセキュリティの向上とメモリ使用の効率化を図ることのできる画像処理装置を提供することを目的とする。
【課題を解決するための手段】
【００１３】
この発明の画像処理装置は、ファクシミリ制御機能とこのファクシミリ制御機能以外の画像データ処理機能とを備えた画像処理装置において、上記ファクシミリ制御機能で取り扱う画像データを記憶するための第１の記憶手段と、上記画像データ処理機能で取り扱う画像データを記憶するための第２の記憶手段と、上記画像処理装置が上記画像データ処理機能に用いられない場合に、上記第２の記憶手段にファクシミリ受信画像データを記憶させる制御を行う第１の制御手段と、上記画像処理装置が上記画像データ処理機能の動作を開始する際、上記第２の記憶手段に記憶された画像データを上記第１の記憶手段に記憶すると共に上記第２の記憶手段からこの画像データを消去する第２の制御手段とから構成されている。
【００１４】
この発明の画像処理装置は、ファクシミリ制御機能とこのファクシミリ制御機能以外の画像データ処理機能とを備えた画像処理装置において、上記ファクシミリ制御機能で取り扱う画像データを記憶するための第１の記憶手段と、上記画像データ処理機能で取り扱う画像データを記憶するための第２の記憶手段と、この第２の記憶手段または上記第１の記憶手段に記憶された画像データを印刷出力する印刷手段と、上記画像処理装置が上記画像データ処理機能に用いられない場合に、上記第２の記憶手段にファクシミリ受信画像データを記憶させる制御を行う第１の制御手段と、上記画像処理装置が上記画像データ処理機能の動作を開始する際、上記第２の記憶手段に記憶されている画像データを上記印刷手段で印刷出力し、上記第２の記憶手段に記憶されている画像データを消去する第２の制御手段とから構成されている。
【００１５】
この発明の画像処理装置は、ファクシミリ制御機能とこのファクシミリ制御機能以外の画像データ処理機能とを備えた画像処理装置において、上記ファクシミリ制御機能で取り扱う画像データを記憶するための第１の記憶手段と、上記画像データ処理機能で取り扱う画像データを記憶するための第２の記憶手段と、この第２の記憶手段または上記第１の記憶手段に記憶された画像データを印刷出力する印刷手段と、上記画像処理装置が上記画像データ処理機能に用いられない場合に、上記第２の記憶手段にファクシミリ受信画像データを記憶させる制御を行う第１の制御手段と、上記画像処理装置が上記画像データ処理機能の動作を開始する際、上記第１の制御手段で上記第２の記憶手段に記憶された画像データを上記第１の記憶手段に記憶し、この第１の記憶手段に記憶できない上記第２の記憶手段に記憶されている画像データは上記印刷手段で印刷出力し、上記第２の記憶手段に記憶されている画像データを消去する第２の制御手段とから構成されている。
【００１６】
この発明の画像処理装置は、ファクシミリ制御機能とこのファクシミリ制御機能以外の画像データ処理機能とを備えた画像処理装置において、上記ファクシミリ制御機能で取り扱う画像データを記憶するための第１の記憶手段と、上記画像データ処理機能で取り扱う画像データを記憶するための第２の記憶手段と、この第２の記憶手段または上記第１の記憶手段に記憶された画像データを印刷出力する印刷手段と、上記画像処理装置が上記画像データ処理機能に用いられない場合に、上記第２の記憶手段にファクシミリ受信画像データを記憶させる制御を行う第１の制御手段と、上記画像処理装置が上記画像データ処理機能の動作を開始する際、上記第２の記憶手段に記憶されている画像データを上記印刷手段で印刷出力し、印刷不可能である場合または印刷してはいけない画像データの場合に上記第１の記憶手段に記憶し、上記第２の記憶手段に記憶されている画像データを消去する第２の制御手段と、この第２の制御手段の制御が終了した際、上記画像処理装置のファクシミリ受信以外の動作が可能である旨の表示をする表示手段とから構成されている。
【００１７】
この発明の画像処理装置は、ファクシミリ制御機能とこのファクシミリ制御機能以外の画像データ処理機能とを備えた画像処理装置において、上記ファクシミリ制御機能で取り扱う画像データを記憶するための第１の記憶手段と、上記画像データ処理機能で取り扱う画像データを記憶するための第２の記憶手段と、この第２の記憶手段または上記第１の記憶手段に記憶された画像データを印刷出力する印刷手段と、上記画像処理装置が上記画像データ処理機能に用いられない場合に、上記第２の記憶手段にファクシミリ受信画像データを記憶させる制御を行う第１の制御手段と、上記画像処理装置が上記画像データ処理機能の動作を開始する際、上記第１の制御手段で上記第２の記憶手段に記憶された画像データを上記第１の記憶手段に記憶し、この第１の記憶手段に記憶できない上記第２の記憶手段に記憶されている画像データは上記印刷手段で印刷出力し、上記第２の記憶手段に記憶されている画像データを消去する第２の制御手段と、この第２の制御手段の制御が終了した際、上記画像処理装置のファクシミリ受信以外の動作が可能である旨の表示をする表示手段とから構成されている。
【００１８】
この発明の画像処理装置は、ファクシミリ制御機能とこのファクシミリ制御機能以外の画像データ処理機能とを備えた画像処理装置において、上記ファクシミリ制御機能で取り扱う画像データを記憶するための第１の記憶手段と、上記画像データ処理機能で取り扱う画像データを記憶するための第２の記憶手段と、上記画像データ処理機能を動作する操作を行う操作手段と、上記ファクシミリ制御機能を使用する際には上記第１の記憶手段に画像データを格納するものの、上記操作手段からの操作が行われない時間帯では上記ファクシミリ制御機能を使用する際に画像データを上記第２の記憶手段へ格納する制御手段とから構成されている。
【００１９】
この発明の画像処理装置は、ファクシミリ制御機能と複写機能とを有する画像処理装置において、上記ファクシミリ制御機能で使用される第１の画像メモリと、上記複写機能で使用される第２の画像メモリと、上記画像処理装置が複写機能に用いられない場合に、上記第２の画像メモリを上記ファクシミリ制御機能で受信制御される画像データの記憶用に切り替える切替手段とから構成されている。
【００２０】
この発明の画像処理装置は、ファクシミリ制御機能と複写機能とを有する画像処理装置において、上記ファクシミリ制御機能で使用される第１の画像メモリと、上記複写機能で使用される第２の画像メモリと、上記画像処理装置が複写機能に用いられない場合に、上記第２の画像メモリを上記ファクシミリ制御機能で受信制御される画像データの記憶用に切り替える切替手段と、上記画像処理装置が上記複写機能の動作を開始する際、上記切替手段で切り替えられて上記第２の画像メモリに記憶された上記ファクシミリ制御機能で受信制御された画像データを上記複写機能で印刷出力し、印刷不可能である場合または印刷してはいけない画像データの場合に上記第１の画像メモリに記憶し、上記第２の画像メモリに記憶されている画像データを消去して上記第２の画像メモリが上記複写機能で使用可能とする制御手段とから構成されている。
【００２１】
この発明の画像処理装置は、ファクシミリ制御機能と複写機能とを有する画像処理装置において、上記ファクシミリ制御機能で使用される第１の画像メモリと、上記複写機能で使用される第２の画像メモリと、上記画像処理装置が複写機能に用いられない場合に、上記第２の画像メモリを上記ファクシミリ制御機能で受信制御される画像データの記憶用に切り替える切替手段と、上記画像処理装置が上記複写機能の動作を開始する際、上記切替手段で切り替えられて上記第２の画像メモリに記憶された上記ファクシミリ制御機能で受信制御された画像データを上記第１の画像メモリに記憶し、上記第２の画像メモリに記憶されている画像データを消去する制御手段とから構成されている。
【００２２】
この発明の画像処理装置は、ファクシミリ制御機能と複写機能とを有する画像処理装置において、上記ファクシミリ制御機能で使用される第１の画像メモリと、上記複写機能で使用される第２の画像メモリと、上記画像処理装置が複写機能に用いられない場合に、上記第２の画像メモリを上記ファクシミリ制御機能で受信制御される画像データの記憶用に切り替える切替手段と、上記画像処理装置が上記複写機能の動作を開始する際、上記切替手段で切り替えられて上記第２の画像メモリに記憶された上記ファクシミリ制御機能で受信制御された画像データを上記複写機能で印刷出力し、上記第２の画像メモリに記憶されている画像データを消去する制御手段とから構成されている。
【００２３】
この発明の画像処理装置は、ファクシミリ制御機能と複写機能とを有する画像処理装置において、上記ファクシミリ制御機能で使用される第１の画像メモリと、上記複写機能で使用される第２の画像メモリと、上記画像処理装置が複写機能に用いられない場合に、上記第２の画像メモリを上記ファクシミリ制御機能で受信制御される画像データの記憶用に切り替える切替手段と、上記画像処理装置が上記複写機能の動作を開始する際、上記切替手段で切り替えられて上記第２の画像メモリに記憶された上記ファクシミリ制御機能で受信制御された画像データを上記第１の画像メモリに記憶し、この第１の画像メモリの容量が満杯になって記憶できない場合は上記複写機能で印刷出力し、上記第２の画像メモリに記憶されている画像データを消去して上記第２の画像メモリが上記複写機能で使用可能とする制御手段とから構成されている。
【発明の効果】
【００２４】
本発明の画像処理装置は、ファクシミリ専用メモリの容量不足による回線切断などの発生を回避すると共にセキュリティの向上とメモリ使用の効率化を図ることが可能となる。
【発明を実施するための最良の形態】
【００２５】
以下、図面を参照して、この発明の実施の形態について詳細に説明する。
【００２６】
図２は、この発明の画像処理装置としてのマルチファンクション型複写装置の外観を示すものである。図において、１はマルチファンクション型複写装置本体で、その上面前部には操作パネル５が設けられている。
【００２７】
複写装置１の図面に対して右側部には、給紙カセット６ａ、６ｂ、及び大容量フィーダ６ｃ、及び詳しくは後述するが電源スイッチＡ，Ｂとが設けられている。また、複写装置１の図面に対して左側部には、画像形成された用紙が排出されるソータ７が設けられている。
【００２８】
複写装置１の前面で、操作パネル５の下方部位には、文書情報などを記憶する記憶媒体としての光ディスクを挿入するためのディスク挿入口８が設けられている。
【００２９】
複写装置１の上面には、原稿が載置される透明ガラスからなる原稿ガラスが設けられていて、この原稿ガラス上には、原稿押えカバーを兼ね、裏向きにセットしたシート状の原稿（文書）を自動的に１枚ずつ送る自動反転原稿送り装置（リターン・オート・ドキュメント・フィーダ；RADF）１０が開閉自在に設けられている。
【００３０】
図３は複写装置１の概略構成を示すものである。複写装置１は、スキャナ２、レーザプリンタ３、光ディスク装置４とから構成されている。
【００３１】
上記スキャナ２は、自動反転原稿送り装置（RADF）１０と読取りユニットである第１キャリッジ１１、第２キャリッジ１２、結像レンズ１３、ＣＣＤセンサ１４からなる露光部１５とから構成される。
【００３２】
図３において、原稿は原稿ガラス１６上に下向きに置かれ、その原稿の載置基準は原稿ガラス１６の短手方向の正面左側がセンタ基準になっている。その原稿は自動反転原稿送り装置（RADF）１０の搬送ユニット部１７の搬送ベルト１８によって原稿ガラス１６上に押え付けられる。原稿は蛍光灯ランプ１９により照射され、その反射光はミラー２０、２１、２２、結像レンズ１３を介して、列状に配置された複数の受光素子を有したＣＣＤセンサ１４の面上に集光されるように構成されている。
【００３３】
上記ミラー２０と蛍光灯ランプ１９の光量を検知する光量センサ１９ａ、および蛍光灯ランプ１９の温度を一定に保つ図示しない保温ヒータとを具備した第１キャリッジ１１とミラー２１、２２を具備した第２キャリッジ１２は２：１の相対速度で移動するようになっている、第１キャリッジ１１と第２キャリッジ１２はスキャニングモータ（図示せず）によって左から右へ移動し、副走査する。副走査の速度は、読取り倍率によって２相パルスモータの励磁方法を１／２相励磁、マイクロステップ駆動により切換わるように構成されている。特に低速域において駆動系の固有振動を相殺する電流波形がパルスモータに入力されるようにパルスモータドライバ（図示せず）が構成されている。
【００３４】
以上のようにして、原稿ガラス１６上に載置された原稿の画像は１ライン毎に順次読み取られる。
【００３５】
自動反転原稿送り装置（RADF）１０にて両面原稿を読み取る場合は、原稿供紙台２３に原稿が載置されたことを原稿検知スイッチ２４が検知すると、RADFモードにセットされる。原稿はピックアップローラ２５によって上面より取り出され、互いに反転する供紙ローラ２６と分離ローラによって１枚ずつ分離、搬送される。搬送された原稿はアライニングローラ２７で姿勢を正された後に搬送ユニット部１７に送られる。
【００３６】
さらに、原稿は搬送ベルト１８によって原稿ストッパ２８に突き当てられるまで、すなわち読取基準位置に搬送される。ここで上述したように読取動作を行った後に搬送ベルト１８が逆方向に回転することにより、原稿は自動反転原稿送り装置（RADF）１０の反転ゲート３０まで逆送される。このとき反転ゲート３０は反転ローラ３１ａに原稿を搬送するような位置に回動しており、原稿は反転ローラ３１ａ、３１ｂ、３１ｃによって反転ガイド３１ｄ、３１ｅ、３１ｆを通り反転してアライニングローラ３１ｇに到達する。
【００３７】
ここで、姿勢を正された後に原稿はアライニングローラ３１ｇにより搬送ユニット部１７に送られ搬送ベルト１８によって読取基準位置に搬送される。裏面の読取動作が終了すると、原稿は搬送ベルト１８によって排紙ローラ３８に到達するまで送られ、排紙ローラ３８、３９により排出され、原稿排紙トレイ４０上に積載される。以上述べてきた動作を繰返すことで両面原稿を連続して読み取ることができる。
【００３８】
また、光ディスク装置４は、光ディスク４１、光ディスク駆動モータ４２、読取りヘッド（図示せず）、光ディスク駆動制御部４３、光ディスク４１の装着を検知する装着検知器（図示せず）とから構成され、複写装置１の前面に設けられたディスク挿入口８から光ディスク４１を挿入、着脱できる位置に取付けられている。
【００３９】
また、レーザプリンタ３は、レーザ光学系４５と転写紙の両面に画像形成が可能な電子写真方式を組み合せた画像形成部４６から構成される。
【００４０】
すなわち、スキャナ２から送られてくる画像データは、後述する画像処理回路で処理されて、半導体レーザ発振器（図示せず）でレーザ光４７を出力する。
【００４１】
出力されたレーザ光４７は、例えばシリンドリカルレンズ等からなるビーム整形光学系（図示せず）によって整形され、空気軸受を利用したポリゴンモータ４８に回転駆動させられるポリゴンミラー４９によって偏向される。偏向されたレーザ光４７はｆθレンズ５０を通して、ミラー５１およびミラー５２によって反射され、保護ガラス５３を介して、感光体ドラム５４上の露光位置５５の地点に、必要な解像度を持つスポット結像をし、走査露光されることによって感光体ドラム５４上に潜像を形成する。この偏向されたレーザ光４７は、フォトダイオードからなるビームディテクタ（図示せず）でレーザ光を検知することによって、プリンタ画像同期信号（P-HSYNC ）が生成される。
【００４２】
上記感光体ドラム５４の周囲には、感光体ドラム５４面を帯電する帯電チャージャ５６、現像器５７、転写ローラ５８、クリーナ５９、除電ランプ６０が配設されている。
【００４３】
この感光体ドラム５４は、駆動モータ（図示せず）によりＶ0 の外周速度で回転駆動され、グリッド電極を有する感光体ドラム５４面に対向して設けられている帯電チャージャ５６によりドラム面が帯電される。この帯電された感光体ドラム５４上の露光位置５５の地点にレーザ光４７をスポット結像され潜像が形成された感光体ドラム５４は、現像位置６１の位置までＶ0 の速度で回転し、この位置で、感光体ドラム５４上の潜像は現像器５７からトナー像が形成される。トナー像が形成された感光体ドラム５４は引き続きＶ0 で回転し、転写位置６２の地点で、給紙系によりタイミングをとって供給された転写紙Ｐ上に転写ローラ６３によって転写される。転写ローラ５８に付着した不要なトナーは、転写ローラ清掃器６４によってクリーニングされる。
【００４４】
給紙系は、２つの給紙カセット６ａ、６ｂと大容量フィーダ６ｃの三か所から被画像形成媒体として転写紙Ｐが選択的に給紙できる手段と、上記３か所の給紙手段とは別に、第１面（表面）に画像形成された転写紙Ｐを反転した後、この転写紙Ｐの第２面（裏面）に画像形成するべく再給紙する反転給紙部とからなる。
【００４５】
上記の二つの給紙カセット６ａ、６ｂと大容量フィーダ６ｃ内の転写紙Ｐは、選択的に、例えば、ピックアップローラ６８（または６９、または７０）により給紙を開始され、給紙ローラ７１（または７２、または７３）、分離ローラ７４（または７５、または７６）により、転写紙Ｐが一枚だけ分離されて給送され、レジストローラ７８まで達し、所定のタイミングで転写部へ給送される。また、レジストローラ７８は、図示しないレジストモータによって回転される。
【００４６】
大容量フィーダ６ｃのエレベータ７９は、用紙の給紙部での位置がほぼ一定の高さになるように用紙枚数に応じて上下する。
【００４７】
また、上記転写ローラ５８の下流側には用紙搬送機構８０、定着器８１、画像形成済転写紙Ｐを機外に排出するか、上記反転給紙部に導くかを切換える経路切替ガイド８２、排紙ローラ８３が配設されている。経路切替ガイド８２は、定着器８４から送られてくる転写紙Ｐの経路を図示のＡＡ、ＢＢの方向に変更させる。例えば、経路切替ガイド８２が図示の状態のとき、転写紙Ｐは経路ＡＡに進み、排紙ローラ８３を経て、ソータ７に排紙される。
【００４８】
図１は、本発明に係る画像処理装置としてマルチファンクション型複写装置１の制御系の構成を示すものである。
【００４９】
すなわち、複写装置１は、ＣＰＵ100 、各種ＲＯＭ（プログラム記憶用、データベース用）101 、ＮＶＲＡＭ102 、ＤＲＡＭ（ワーク、作業用、データ格納用）103 を有する。ＣＰＵ100 は、複写装置１全体の制御を行うものであり、ここでは操作パネル５からの指示に従って各機能の制御を行う。また、画像データを大量に操作する場合など、場合に応じてハードディスク（ＨＤＤ）、ＭＯドライブを具備する場合もある。
【００５０】
スキャナインターフェース（ＳＩＦ）104 はスキャナ２からの画像データを受け取り、画像処理回路（ＩＰＵ）105 は記録装置に応じた高画質化処理や拡大縮小処理、画素間引き処理、マーカ検出による指定領域の白抜き処理などの画像編集処理を行い、プリンタインタフェース（ＰＩＦ）106 はレーザプリンタ３に画像データを転送するものである。
【００５１】
ページメモリ（ＰＭ）107 は１画素につき多値のビット数を持つ多値のページメモリ部、ＱＮＴ／ＰＭ（ＱＮＴ：量子化、ＰＭ：ページメモリ）108 は多値データを記録用に２値化して記憶する２値化ページメモリと圧縮伸張回路と各種画像処理ＡＳＩＣとで構成される符号／復号化回路である。
【００５２】
ファクシミリ制御装置（ＦＡＸＣ）109 は、詳しくは後述するがファクシミリ手順に従って公衆回線との接続インターフェース（ＩＦ）をなすいわゆるモデムと送受信用ファクシミリバッファ、ファクシミリ画像データ格納用ファイルメモリ、画像の符号化／復号化、解像度変換等を行うＣＯＤＥＣ（ＣＯＤＥＲ−ＤＥＣＯＤＥＲ）及びこれらの制御とＣＰＵ100 との相互通信を行うファクシミリ用ＣＰＵとからなる。
【００５３】
ネットワーク制御装置（ＬＡＮＣ）110 は、イーサネット（登録商標）との接続インターフェースとＮ社ネットワークプロトコルを制御するためのＣＰＵを含むネットワーク制御回路である。なお、このＬＡＮのケーブルの一端はルータ／リピータ等のネットワークを構成する機器に接続される。
【００５４】
また、各種情報を一時記憶する共有ＲＡＭ１１１が設けられている。これらの各デバイスは画像バス112 を介して接続され、ＣＰＵ100 と各デバイス間の制御信号はシステムバス113 により高速に信号のやりとりが行われる。
【００５５】
この画像バス112 は、マルチファンクション型複写装置１が複写機として動作するときのために設けられた独特のもので、複写機としてのリアルタイム動作を保証するために、スキャナ２から入力される画像データをスキャナインターフェース104 で受信し、画像処理回路105 で高画質化処理、拡大縮小処理、各種編集処理を行い、プリンタインターフェース106 でレーザプリンタ３へ出力するという動作を並列的に行う。画像バスに接続されたボートの内、その時の動作に不必要な処理ボードは通過状態となる。例えば、単なる複写動作の際には図１に於けるＱＮＴ／ＰＭ108 は不必要なため通過となるし、メモリを利用して複数の複写画像を編集する場合にこの２値化ページメモリとしてのＱＮＴ／ＰＭ108 は必要となる。
【００５６】
図４は、ファクシミリ制御装置109 のハードウェアの構成例を示すものである。例えば、本実施例において説明される構成の装置において、ある動作条件では、ファクシミリ用の送信データは、スキャナ２から入力された後、画像バス112からファクシミリ制御装置109 のインターフェース部120 を介して入出力バッファ123 に蓄積される。蓄積されたデータは、CODEC124で符号化／圧縮され、ファイルメモリ（FILE MEMORY ）125 に蓄積される。
【００５７】
ＮＣＵ（NETWORK CONTROL UNIT）129 により回線を選択した後、ファクシミリ用の送信データは、CODEC126で相手局の能力に合わせた符号化方式／解像度に変換され、送受信バッファ127 を経由してモデム（MODEM ）128 から送信される。この際、ファクシミリ用の送信ヘッダもCODEC126で付加される。
【００５８】
ファクシミリ通信制御用のコマンドは、複写装置１のＣＰＵ100 からインターフェース部120 のＤＭＡ転送によりファクシミリ制御装置109 に送られる。ファクシミリ制御装置109 のファクシミリ用ＣＰＵ（FAX CPU ）121 は、そのコマンド内容を実行し、ステータス、或いはリクエストを逆にＣＰＵ100 側にインターフェース部120 のＤＭＡ転送で送信する。
【００５９】
このコマンドによりファクシミリ用ＣＰＵ121 はモデム128 を介して回線上に標準プロトコルに基づいた制御信号（ＩＴＵ−Ｔ／Ｔ ．３０準拠）を送出する。また、ＣＰＵ100 はステータス或いはリクエストの内容に応じて次の指示を送出する。
【００６０】
逆に受信の場合は、受信データは一旦ファクシミリ制御装置109 の送受信バッファ127 に蓄積され、エラーチェック等を実施した後、CODEC126で指定の符号化方式等に変換し、ファクシミリ制御装置109 のファイルメモリ125 に蓄積される。
【００６１】
蓄積された受信データは、CODEC124で伸張され、入出力バッファ123 に展開された後、インターフェース部120 を介して画像バス112 側からレーザプリンタ３に印字出力される。
【００６２】
図５は、操作パネル５の構成を示すもので、タッチパネルディスプレイ130 、スタートキー131 、ストップキー132 、クリアキー133 、数字を設定するテンキー134 、原稿サイズ・カセットを選択するカセットキー135 、選択された原稿サイズ・カセットを表示するカセット表示部（ＬＥＤ）136 、用紙サイズを選択するサイズキー137 、選択された用紙サイズ表示部（ＬＥＤ）138 、及び設定した部数を表示する部数表示部（ＬＥＤ）139 などが設けられている。
【００６３】
例えば、５部複写する場合、テンキー134 の"５"のキーが押されると、部数表示部139 にこの数が表示され、これをユーザが確認した後、原稿をセットしてスタートキー131 が押されることにより複写動作が開始される。
【００６４】
図６は、上述したタッチパネルディスプレイ130 の構成を示すものである。タッチパネルディスプレイ130 はタッチパネル140 を液晶ディスプレイ141 の上に重ねて構成される。タッチパネル140 は、透明基盤に透明抵抗体を一様に塗布し、Ｘ／Ｙ方向にそれぞれ所定の距離間隔をおいて透明電極群を平行に配設してある。このタッチパネル140 はタッチパネル制御部142 によって制御され、Ｘ／Ｙ方向の各透明電極にはそれぞれ一定方向に順次電圧が印加される。タッチパネル140 に対する位置の指示操作は専用の導電性ペン或いは指を用いて行われる。タッチパネル制御部142 は、Ｘ／Ｙ方向のそれぞれの電極間の抵抗値を監視し、各電極間の抵抗値から演算により、導電性ペン或いは指の指示によって局所的に抵抗値が低減した位置の検出を行う。
【００６５】
また、液晶ディスプレイ141 は、これを表示駆動するためのディスプレイ制御部143 と、表示データを表示画素単位で格納する表示ＲＡＭ（ＶＲＡＭ）144 がそれぞれ接続されている。
【００６６】
このような構成からなるタッチパネルディスプレイ130 において、タッチパネル制御部142 によって求められた位置データは、ＣＰＵ100 により読み取られ、この位置データに対応した処理がＣＰＵ100 によって実行される。例えば、手書き入力を行う場合はタッチパネル140 上で指示された位置に対応するＶＲＡＭ144 上のデータを非表示状態から反転して表示状態にし、液晶ディスプレイ141 に表示したキーボードディスプレイや各種設定ボタン群の中からの選択による動作パラメータなどの入力など、幅広い用途にこのタッチパネルディスプレイ130 は使用できる。
【００６７】
図７〜図９は、複写装置１で用いる標準的なＧ３ファクシミリ通信プロトコルの流れを示している。ここでは全て非エラー訂正モードの例を示しているが、通信プロトコルの流れとしては基本的にエラー訂正モードの場合も同様である。
【００６８】
図７は、送信データを１頁だけ送信する場合の例を示している。ここに示すように、ファクシミリの通信プロトコルはＡ〜Ｅの５つのフェーズに分割されており、それぞれＡ：呼設定、Ｂ：初期設定、Ｃ：データの送信、Ｄ：送信データ確認、Ｅ：切断に分かれている。
【００６９】
図８は、後続の頁があり、しかも送信条件が変更されない場合の例である。この場合には、フェーズＤにおいてマルチページであることが被呼端末側に知らされ（ＭＰＳ）、続いてフェーズＣ以降が繰り返される。
【００７０】
図９は、後続の頁があり、しかも送信条件が変更される場合の例である。この場合には、フェーズＤにおいて通信条件の変更が被呼端末側に知らされ（ＥＯＭ）、続いてフェーズＢ以降が繰り返される。
【００７１】
このそれぞれの通信手順のフェーズＢ（初期認識）において、最初に被呼端末（受信端末）からＮＳＦ（Not Standerd Facsimile）信号が送信される。この信号では、ＩＴＵ−Ｔ／Ｔ．３５において国コード、メーカーコードを提示することが規定されている。通常、同じメーカのファクシミリ装置同士の通信においては、この信号でそれぞれの機種を同定し、ＩＴＵ−Ｔ／Ｔ．３０の規定とは異なる各社独自の手順で通信を行う。
【００７２】
次に、複写装置１でのネットワーク送信の動作を説明する。
【００７３】
この場合、まず操作パネル５上でネットワーク送信のモードを設定する。次に送信先情報（ネットワークアドレス、ユーザＩＤなど）を設定する。そして送信画像データをセットする。設定された送信先情報はＣＰＵ100 の管理下に送信待ち行列にセットされる。また、送信条件に基づいて送信データは編集処理を行った後、符号化／圧縮処理を行い、ネットワークに対応したプロトコルに従って送信先への回線接続を行う。全ページ送信終了すれば回線切断処理を行う。
【００７４】
この動作の間、ＣＰＵ100 は、操作パネル５からの送信先情報を管理し、スキャナインターフェース104 、ＱＮＴ／ＰＭ108 に画像サイズ、圧縮方式などの各パラメータの設定を行う。そして開始指示が有れば、スキャナ２を駆動し、入力された画像データに対して画像処理回路105 で解像度変換、２値化、圧縮処理を施した後これらをＱＮＴ／ＰＭ108 へ保持するといった動作を最終ページまで行う。
【００７５】
次に、複写装置１における通常入力原稿のファクシミリ化の動作を説明する。
【００７６】
まず、上述の操作パネル５上でファクシミリ送信のモードを設定する。或いは、ネットワークを介してパーソナルコンピュータ等の端末装置上から送信モードを設定する。操作パネル５上からこのモード設定を行う場合には、タッチパネルディスプレイ130 に表示されたモード選択スイッチを指示することによって行われる。パーソナルコンピュータ等の端末装置上からモード設定を行う場合には、画面上のメニューからファクシミリ送信のモードを選択する。
【００７７】
続いて、ファクシミリ送信モードでの設定画面において送信先情報（電話番号、短縮ダイヤル番号等）、送信サイズ情報、拡大／縮小などの変倍情報、回転の有無、セキュリティの高い内容を含んだ文書（親展）であるか否か等の送信条件を設定する。
【００７８】
メモリ蓄積送信を行う場合には、送信先情報はＣＰＵ100 の管理下に送信待ち行列にセットされる。送信データは、スキャナ２で入力後、画像処理回路105 において操作パネル５で指定された拡大／縮小、中間調処理等の画像処理を行った後、ファクシミリ制御装置109 の入出力バッファ123 を使用して２値データとして展開される。続いてCODEC124を用いて符号化／圧縮処理を行い、ファクシミリ制御装置109 のファイルメモリ125 に蓄積／保存される。
【００７９】
ダイレクト送信を行う場合には、送信先情報に基づいてＮＣＵ129 が回線接続制御を行う。回線接続が成立した段階でスキャナ２より画像データを入力し、画像処理回路105 で相手局の能力に合わせた解像度に変換する。続いて、ファクシミリ制御装置109 の入出力バッファ123 に転送され、送受信バッファ127 を経由した後、送信される。
【００８０】
全ページの送信データを送信終了後、回線切断処理を行う。
【００８１】
次に、複写装置１におけるＱＮＴ／ＰＭ108 を使用した複写画像のメモリ編集機能について説明する。
【００８２】
スキャナ２より入力された画像は画像処理回路105 においてユーザが選択した機能に応じた解像度変換、２値化処理を行った後、ＱＮＴ／ＰＭ108 に蓄積される。ユーザが選択した機能に応じた解像度変換とは、例えば２枚の原稿を縮小して１枚に納める２頁入力１頁出力機能を選択した場合の７１％縮小などが該当する。
【００８３】
２頁入力１頁出力処理の場合、ＱＮＴ／ＰＭ108 には、画像処理回路105 で約７１％縮小が展開された画像が読み込まれる。更に９０度回転処理を実施した後、２頁（枚）分を１頁（枚）として印字出力する。
【００８４】
図１０は、複写装置１の全体の制御構成を示したものである。この図において、画像入力制御部150 とは、スキャナ２及び画像の解像度を変更し、また高画質化処理を行う画像入力処理ユニットより構成される。
【００８５】
印刷制御部151 は、ファクシミリ受信データや複写データを受けとり、印字出力するために解像度を調節し、更にスムージングなどの高画質化処理を行うための画像処理ユニットより構成される。
【００８６】
これらのスキャナ２／レーザプリンタ３は、それぞれメカ制御用のＣＰＵ（図示しない）により直接的に制御されており、ＣＰＵ100 はこれらにメッセージを送ることで制御を行っている。
【００８７】
複写制御部152 は、画像入力制御部150 より受け取った画像データを多値画像として展開し、枠消し処理など様々な画像編集を行うためのページメモリ107 、複数の２値画像を蓄積し、Ｎｉｎ１（Ｎ頁入力１頁出力）処理や排出順序の並び替え処理などを実施するためのＱＮＴ／ＰＭ108 における符号化／復号化及びその他の画像処理のためのＡＳＩＣから構成される。
【００８８】
操作条件／機能選択認識部153 は、操作パネル５等から構成される。例えば操作パネル５よりファクシミリ送信が指示されると、その情報はファクシミリ通信制御部154 或いは複写制御部152 に伝えられる。
【００８９】
また、ここでは装置全体のメモリ残量や動作状態を常に監視し、また、タイマーの監視等の時間制御を行い、状態に応じて適宜、状態表示部154 に対してメッセージの表示やメニューの切り替えを依頼すると同時に、動作の切り替え制御を行う。
【００９０】
状態表示部154 としては、操作パネル５のタッチパネルディスプレイ130 が担当する。タスクの終了、エラー情報などの状態を通知された場合、ＣＰＵ100 は、液晶ディスプレイ141 上にその旨を表示する。
【００９１】
ファクシミリ通信制御部155 は、ファクシミリ制御装置109 が該当するのでここでは説明を省略する。
【００９２】
図１１は、複写装置１における電源の供給範囲を示している。電源スイッチＡ、Ｂともにオンの場合、複写装置１全体に電源が供給されるが、電源スイッチＡのみオフとするとスキャナ２、レーザプリンタ３、及び画像処理回路105 の電源がオフとなる。図１１において、点線で示す範囲が電源スイッチＡの有効範囲で、２点鎖線で示す範囲が電源スイッチＢの有効範囲である。
【００９３】
このため、夜間などファクシミリ受信以外の用途が発生しない場合には、複写装置１の電源スイッチＡ、Ｂのうち電源スイッチＢのみオンとすれば、無駄な電力を消費することなくファクシミリ送受信を遂行することが可能となる、
また、この間、ファクシミリ以外の機能は使用されることがないので、複写編集用のメモリであるＱＮＴ／ＰＭ108 のメモリをファクシミリで使用することが可能となる。
【００９４】
図１２は、本発明の複写装置におけるファクシミリ受信データの蓄積動作の概念を示すものである。
【００９５】
通常の状態の場合、すなわち電源オンのときのファクシミリ受信データは、ファクシミリ専用メモリに受信データが蓄積されてプリンタで印刷される。
【００９６】
夜間の状態の場合、すなわち夜間などに不必要なスキャナやプリンタ等の電源がオフのときのファクシミリ受信データは、ファクシミリ以外に用いられるメモリに受信データを蓄積し、電源がオンとなった際にプリンタで印刷すると共に親展の受信データはファクシミリ専用メモリに蓄積する。
【００９７】
次に、このような構成において、ファクシミリ受信処理方法の切り替え動作を図１３、図１５、図１６１６、図１７、図１８のフローチャートを参照して説明する。
【００９８】
この受信処理方式の切り替えは、ファクシミリ以外の１つないしそれ以上の画像形成手段（スキャナ２、レーザプリンタ３など）が使用されないことが明確であり、且つそれらの手段において専ら使用される画像メモリが、使用可能状態にある場合においてのみ実行される。
【００９９】
図１４は、操作パネル５のタッチパネルディスプレイ130 のメニュー画面例を示すものである。切替手段としての切り替え方法については、タッチパネルディスプレイ130 のメニュー画面を使用して夜間など複写機能やプリンタ機能を使用しない時間を指定することでファクシミリ以外のメニューを使用しないことを明確化して受信処理の方式を切り替える方法や、夜間のようにスキャナ２／レーザプリンタ３の電源をオフ（電源スイッチＡをオフ）することで、物理的にファクシミリ以外の機能が使用不可能であることを明確化して受信処理の方式を切り替える方法などが存在する。
【０１００】
本実施例では、以下、スキャナ２／レーザプリンタ３の電源がオフである場合に、受信処理方式を切り替える制御手段について説明する。なお、上述したように、受信を切り替えるためのトリガとなる要因が異なっている場合でも、以下の処理フローは基本的には同様であると考えて差し支えない。
【０１０１】
図１３において、スキャナ２／レーザプリンタ３の電源がオンの状態で着信を認識すると（ＳＴ２）、図１５に示す受信処理方式１の受信処理フローに従って受信処理を行う（ＳＴ３）。
【０１０２】
受信処理が終了すると、図１７に示す受信処理方式１の受信印刷処理フローに従って印刷処理を行う（ＳＴ５）。この際、受信データがパスワード等を用いた親展データであった場合（ＳＴ４）には、パスワードの入力を行い（ＳＴ５）、照合し（ＳＴ６）、パスワードの一致を確認した場合にのみ印字出力を行う（ＳＴ７）。
【０１０３】
スキャナ２／レーザプリンタ３の電源がオフであることが確認された場合、本実施例では着信を認識すると（ＳＴ９）、図１６に示す受信処理方式２の処理フローに基づいて受信処理を行う（ＳＴ１１）。
【０１０４】
ただし、この際、ＱＮＴ／ＰＭ108 におけるメモリ残量が非常に少ない場合（ＳＴ１０）にＣＰＵ100 は、図１５に示す受信処理方式１に切り替え（ＳＴ１２）、ファクシミリ制御装置（ＦＡＸＣ）109 のファイルメモリ125 領域を使用して受信データの蓄積処理を行う。
【０１０５】
スキャナ２／レーザプリンタ３の電源がオンになったことが確認された場合（ＳＴ８）、ファクシミリ制御装置（ＦＡＸＣ）109 のファイルメモリ125 領域に受信画像が蓄積されていると（ＳＴ１３）、上述したように、親展データであるか否かの確認を行い、図１７R>７に示す受信処理方式１の受信印刷処理フローチャートに従って印刷処理を行う。
【０１０６】
ファクシミリ制御装置109 のファイルメモリ125 に受信蓄積されている全データの印刷処理が終了し、さらにＱＮＴ／ＰＭ108 においても受信データが蓄積されている場合は、図１３に示す全体処理のフローチャートにおけるＣ部に移行する（ＳＴ１４）。
【０１０７】
ファクシミリ制御装置109 のファイルメモリ125 に蓄積されている受信データの印刷処理が全て終了した場合、またはファイルメモリ125 を使用して、受信画像データを蓄積していない場合、図１８に示す受信処理方式２のデータ印刷処理のフローチャートに従って印刷処理を行う（ＳＴ１５）。
【０１０８】
この印刷処理が終了するとＣＰＵ100 は、操作パネル５上でスキャナ２／レーザプリンタ３を使用するファクシミリ以外の機能が使用可能である旨を明示する。
【０１０９】
図１４は、上述した時間を指定して本発明で示す受信処理を切り替えるために使用するタッチパネルディスプレイ130 に表示される時間指定メニュー例である。例えば、複写装置１において、複写などファクシミリ以外の機能を使用する時間帯が、午前９：００〜午後１１：００までに限られている場合など、このメニュー画面で開始時間を「２３：００」とし、終了時間を「９：００」とすれば、午後１１：００〜翌日の午前９：００までの間のみ、複写編集用画像メモリなど、ファクシミリ以外の機能で、この時間に使用されることのない機能の画像メモリを使用してファクシミリ受信処理を行うことを示している。
【０１１０】
図１５は、上述した受信処理方式１の受信処理手順を示すフローチャートである。
【０１１１】
ファクシミリの受信が開始されると被呼端末であるファクシミリ制御装置109は発呼局に対して受信能力を通知する必要があり、複写装置１のＣＰＵ100 は、ファクシミリ制御装置109 に対して受信能力を通知すると同時に、ファクシミリ制御装置109 のファクシミリ画像データ蓄積用の第１の記憶手段としてのファイルメモリ125 に蓄積するための蓄積条件を通知する（ＳＴ２１）。この場合の受信能力とは解像度、符号化方式、画像サイズ、エラー訂正能力などを意味する。また、蓄積条件とは、解像度、符号化方式、ファイル名、画像サイズを意味する。
【０１１２】
次に送信局の提示する通信条件を受け取り、受信が可能であるか否かを判断する。続いて、ＴＳＩ信号が送出されている場合には、この情報を獲得する（ＳＴ２２）。この情報は、操作パネル５上に表示すると同時に、受信継続が不可能となり回線が切断される場合に、相手局側にその旨を通知する際に使用する。
【０１１３】
画像データを受信すると受信画像のエラーをチェックする（ＳＴ２３）。エラー訂正モード（ＥＣＭ）の場合には、受信フレームをＨＤＬＣ（HI-LEVEL DATALINK CONTROL）のフレームチェックシーケンスによりエラーチェックを行う。非エラー訂正モードの場合には、各受信画像のライン終端を示すビットを監視し、エラーごとに正常な画素数であるか否かを判断する。ＥＣＭの場合は１フレームでもエラーを検出すれば再送を要求するが、非ＥＣＭの場合には予め設定されたエラーライン数を越えた場合にのみ、送信局側に再送を要求する（ＳＴ２５）。
【０１１４】
受信画像はエラーチェック後、ファクシミリ制御装置（ＦＡＸＣ）109 の送受信バッファ127 に１ブロック分蓄積されるとファイルメモリ125 に転送される。ここで、１ブロックとはファクシミリ制御装置（ＦＡＸＣ）109 におけるメモリ管理上の単位を意味する。通常は、ＩＴＵ−Ｔの標準化勧告でエラー訂正を６４ＫＢ単位で行うため、６４ＫＢ程度を１ブロックとして扱う。
【０１１５】
ファイルメモリ125 の残量が１ブロック分ない場合（ＳＴ２８）、受信画像は入出力バッファ123 に直接展開される（ＳＴ２９）。１頁分展開された時点でレーザプリンタ３が使用可能であった場合は印字出力を行う（ＳＴ３２）が、紙詰まり等でレーザプリンタ３が使用できない場合、回線が切断される（ＳＴ３３）。回線が切断されると、送信局側から有効なＴＳＩ信号を受信していた場合には、相手局に回線が切断された旨を通知する（ＳＴ３５）。
【０１１６】
それ以外の場合は先述の蓄積条件に従って符号化変換等を行い（ＳＴ３６）、ファイルメモリ125 に蓄積／保存する（ＳＴ３７）。この場合の符号化変換には、ファクシミリ制御装置109 のCODEC124を使用する。
【０１１７】
最終ページまで上記処理を行うと受信処理を終了する（ＳＴ３８）。
【０１１８】
図１６は、受信方式２の時の処理方式を示すフローチャートである。
【０１１９】
受信が開始されると、被呼端末であるファクシミリ制御装置109 は発呼局に対して受信能力を通知する必要があるため、複写装置１のＣＰＵ100 はファクシミリ制御装置109 に対して受信能力を通知すると同時に、第２の記憶手段としてのＱＮＴ／ＰＭ108 に蓄積するための蓄積条件を通知する（ＳＴ４１）。この場合の受信能力とは解像度、符号化方式、画像サイズ、エラー訂正能力などを意味する。また、蓄積条件とは、解像度、符号化方式、ファイル名、画像サイズを意味する。
【０１２０】
次に送信局の提示する通信条件を受け取り、受信が可能であるか否かを判断する（ＳＴ４２）。
【０１２１】
画像データを受信すると受信画像のエラーをチェックする（ＳＴ４３）。エラー訂正モード（ＥＣＭ）の場合には、受信フレームをＨＤＬＣ（HI-LEVEL DATALINK CONTROL）のフレームチェックシーケンスによりエラーチェックを行う。非エラー訂正モードの場合には、各受信画像のライン終端を示すビットを監視し、エラーごとに正常な画素数であるか否かを判断する。ＥＣＭの場合は１フレームでもエラーを検出すれば再送を要求するが、非ＥＣＭの場合には、予め設定されたエラーライン数を越えた場合にのみ、送信局側に再送を要求する（ＳＴ４５）。
【０１２２】
受信画像はエラーチェック後ファクシミリ制御装置109 の送受信バッファ127に１ブロック分蓄積されるとＱＮＴ／ＰＭ108 に転送される（ＳＴ４８）。ここで、１ブロックとはファクシミリ制御装置109 におけるメモリ管理上の単位を意味する。通常は、ＩＴＵ−Ｔの標準化勧告でエラー訂正を６４ＫＢ単位で行うため、６４ＫＢ程度を１ブロックとして扱う。
【０１２３】
最終ページまで上記処理を行うと受信処理を終了する（ＳＴ４９）。
【０１２４】
図１７は、受信処理方式１の印刷処理手順を示すフローチャートである。
【０１２５】
印刷処理を開始する際、印刷制御部のプリンタが使用可能であるか否かを確認する（ＳＴ５１）。ここで使用不可能であるときとは、給紙切れ、プリンタ紙詰まり発生しているか、または複写等で使用中であることを示している。
【０１２６】
印刷可能状態となると、印刷する受信画像のファイル名とその画像属性とをファクシミリ制御装置（ＦＡＸＣ）109 に通知する（ＳＴ５２）。ここで、画像属性とは受信画像を蓄積保存した際の符号化方式、解像度、紙サイズなどの情報を意味する。また、ここで示すファイル名とは、受信画像の管理を行うために、便宜上、つけられたファイル名である。
【０１２７】
次にファクシミリ制御装置109 に対して画像をファクシミリ制御装置109 の入出力バッファ123 に展開する旨を通知し、画像伸張／展開が終了するまで待機する（ＳＴ５３）。
【０１２８】
展開が終了する（ＳＴ５４）と、印刷制御部151 に画像データを転送し（ＳＴ５５）、レーザプリンタ３で印刷処理を行う（ＳＴ５６）。もし、ここで印刷中に紙詰まり等が発生し（ＳＴ５７）、正常終了しなかった場合は、紙詰まり状態から復旧するまで画像データは入出力バッファ123 に保存される（ＳＴ５８）。ここで、復帰作業とは、詰まった紙の除去作業等を意味するが、本発明とは直接関係がないため、ここでは詳細に記述を行わない。印刷終了が正常に終了するまで、入出力バッファ123 上の画像データは保存され、印刷制御部151 に転送される。
【０１２９】
印刷が終了する（ＳＴ５９）と、展開された画像は破棄される（ＳＴ６０）。
【０１３０】
以上の作業を最終ページまで繰り返すと印刷処理を終了する（ＳＴ６１）。
【０１３１】
図１８は、受信処理方式２の時の印刷処理手順を示すフローチャートである。
【０１３２】
まず、パスワード等を用いて親展データを受信している場合、第２の記憶手段としてＱＮＴ／ＰＭ108 に蓄積されているそれらの画像データはファクシミリ制御装置109 の第１の記憶手段としてのファイルメモリ125 に移動する（ＳＴ７３）。もしも、ファイルメモリ125 のメモリに入りきらない場合はＱＮＴ／ＰＭ108 上に残す。全ての親展データの移動が終了すると操作パネル５のタッチパネルディスプレイ130 に親展データ有りのメッセージを表示する（ＳＴ７５）。この親展データの印刷処理は図１８中のＤ部以降、図１３の全体処理フローチャートのＤ部に移行する。
【０１３３】
親展データでなくＱＮＴ／ＰＭ108 に蓄積されている画像データの印刷処理を開始する際、毎ページ、印刷制御部151 のレーザプリンタ３が使用可能であるか否かを確認する（ＳＴ７６）。ここで使用不可能であるときとは、給紙切れ、プリンタ紙詰まりが発生していることを示す。
【０１３４】
印刷可能状態であればページごとにＱＮＴ／ＰＭ108 上に伸張／展開する（ＳＴ７７）。展開画像は印刷制御部151 のレーザプリンタ３に転送し（ＳＴ７９）、印字出力を行う（ＳＴ８０）。印刷が終了すると、そのデータは破棄しメモリを解放する（ＳＴ８４）。
【０１３５】
全蓄積データに対して以上の処理を終えると、操作パネル５の表示手段としてのタッチパネルディスプレイ130 に、複写可能またはプリンタ使用可能である旨を表示する（ＳＴ８７）。
【０１３６】
即ち、上述した方法は、電源がオンの状態になった段階で、レーザプリンタ３が使用可能となると蓄積している画像を全てファクシミリ制御装置109 への転送、または印刷処理によりＱＮＴ／ＰＭ108 から排出し、排出が終了しメモリが解放された時点で、ファクシミリ以外の機能を全て使用可能とすることを示している。
【０１３７】
以上説明したように上記発明の実施の形態によれば、複写用の画像メモリなど、夜間などには使用しないことが明確に判明しているメモリをファクシミリ用に使用することで、メモリ不足による回線切断などの事象の発生を極力回避すると同時に、セキュリティの向上とメモリ使用の効率化を図ることができる。
【図面の簡単な説明】
【０１３８】
【図１】本発明の画像処理装置に係るマルチファンクション型複写装置の概略構成を示すブロック図。
【図２】図１のマルチファンクション型複写装置の外観を示す斜視図。
【図３】図１のマルチファンクション型複写装置の構成を示す断面図。
【図４】ファクシミリ制御装置の構成を示す図。
【図５】図１のマルチファンクション型複写装置における操作パネルを示す図。
【図６】操作パネルにおけるタッチパネルと液晶ディスプレイの構成を示す図。
【図７】標準的なＧ３ファクシミリ通信プロトコルの制御手順を説明するための図。
【図８】標準的なＧ３ファクシミリ通信プロトコルの制御手順を説明するための図。
【図９】標準的なＧ３ファクシミリ通信プロトコルの制御手順を説明するための図。
【図１０】本発明を実現する機能ブロックの全体構成を示す図。
【図１１】本発明における電源供給範囲を説明するための図。
【図１２】本発明におけるファクシミリ受信データの蓄積動作の概念を示す図。
【図１３】本発明を実現する全体の処理動作を説明するためのフローチャート。
【図１４】操作パネルのタッチパネルディスプレイのメニュー画面例を示す図。
【図１５】受信処理方式１の制御手順を説明するためのフローチャート。
【図１６】受信処理方式２の制御手順を説明するためのフローチャート。
【図１７】受信処理方式１を用いた場合の受信データ印刷処理手順を説明するためのフローチャート。
【図１８】受信処理方式２を用いた場合の受信データ印刷処理手順を説明するためのフローチャート。
【符号の説明】
【０１３９】
１…マルチファンクション型複写装置、２…スキャナ、３…レーザプリンタ、５…操作パネル、100 …ＣＰＵ、105 …画像処理回路、108 …ＱＮＴ／ＰＭ、109 …ファクシミリ制御装置、112 …画像バス、113 …システムバス、123 …入出力バッファ、124,126 …CODEC、125 …ファイルメモリ、127 …送受信バッファ。
【図１】
2006203922.tif 000003
【図２】
2006203922.tif 000004
【図３】
2006203922.tif 000005
【図４】
2006203922.tif 000006
【図５】
2006203922.tif 000007
【図６】
2006203922.tif 000008
【図７】
2006203922.tif 000009
【図８】
2006203922.tif 000010
【図９】
2006203922.tif 000011
【図１０】
2006203922.tif 000012
【図１１】
2006203922.tif 000013
【図１２】
2006203922.tif 000014
【図１３】
2006203922.tif 000015
【図１４】
2006203922.tif 000016
【図１５】
2006203922.tif 000017
【図１６】
2006203922.tif 000018
【図１７】
2006203922.tif 000019
【図１８】
2006203922.tif 000020